(57)【要約】      （修正有）【課題】押す音を消音し、防水機能と快適なタッチ感を具有する気圧タイプのボタン構造を提供する。【解決手段】ボタン本体及び導板で構成する。ボタンのボタン本体内部に気嚢室を形成し、適量な気体を充填する。気嚢室の上方に外力を加えられるプッシュ面を具有し、プッシュ面の反対側底部に導体を設け、ボタン本体の下方に導板を設置する。導板は予めプリント基板を分布させ、ボタン本体の底部に導体を設置する。【選択図】図３
0003163700.tif 000002
【実用新案登録請求の範囲】
【請求項１】
ボタン本体、導板を含み、
該ボタン本体の内部に気嚢室を形成し、該気嚢室の上方に外力を加えられるプッシュ面を具有し、プッシュ面の反対側底部に導電できる導体を設け、
該導板はボタン本体の下方に設置し、予めプリント基板を分布させ、ボタン本体の底部に位置する導体に、タッチしたあとに伝導し、シグナルを伝える接触部を具有し、押す音を消音にし、且つ防水機能と快適なタッチ感を具有することを特徴とする気圧タイプのボタン構造。
【請求項２】
前記ボタン本体はゴムやシリコンなど、弾性のある絶縁材質で作ることを特徴とする請求項１記載の気圧タイプのボタン構造。
【請求項３】
前記導板は薄膜状を呈し、薄型プリント基板、薄型配線、軟性プリント基板、軟性配線、金属薄板、ポリエチレンテレフタラートなどのプレート状導体であることを特徴とする請求項１記載の気圧タイプのボタン構造。
【請求項４】
前記ボタン本体を導板に設置し、導板の反対側に基板を固定し、導板を外部から隔離することを特徴とする請求項１記載の気圧タイプのボタン構造。
【請求項５】
前記ボタン本体と導板を基板に固定し、該基板は絶縁材質で作られ、導板を外部から隔離することを特徴とする請求項４記載の気圧タイプのボタン構造。
【請求項６】
ボタン本体、導板、基板及び蓋からなり、
該ボタン本体の内部に気嚢室を形成し、適量な空気を充填し、該気嚢室の上方に外力を加えるプッシュ面を形成し、プッシュ面の反対側底部に導体を設け、
該導板はボタン本体の下方に設置し、予めプリント基板を分布させ、ボタン本体の底部に位置する導体に、タッチしたあとに伝導し、シグナルを伝える接触部を具有し、
該基板は絶縁材質を用いてプレート状に形成し、導板の底部に固定し、及び、
該蓋をボタン本体の上方に設置し、ボタン本体を突出させる枠を具有し、押す音を消音にし、且つ防水機能と快適なタッチ感を具有することを特徴とする気圧タイプのボタン構造。
【請求項７】
前記ボタン本体は少なくとも一つ或いは一つ以上のプッシュキーを具有するプッシュ層とパッケージ層を含み、プッシュ層の内部にプッシュキーに対応して中空状の気嚢室を具有し、
パッケージ層の底面に一つ或いは一つ以上の接触部を設置し、プッシュ層の気嚢室の外側を予め高周波熱溶解、リフロー炉での高温加熱、粘着剤による接合などの加工方法を用いて、密閉結合することを特徴とする請求項６記載の気圧タイプのボタン構造。
【請求項８】
前記ボタン本体に一つ或いは一つ以上のプッシュキーとプッシュ層とパッケージ層で構成し、プッシュ層はパッケージ層の上に一体成型に設置することを特徴とする請求項６記載の気圧タイプのボタン構造。
【請求項９】
前記ボタン本体はデスクトップパソコンや、ノートパソコン、ＰＤＡや翻訳機、コンピューター辞書に電話、携帯電話、トランシーバーにリモコンなどの操作パネルにある文字数字盤のボタンに用いることを特徴とする請求項８記載の気圧タイプのボタン構造。
【考案の詳細な説明】
【技術分野】
【０００１】
本考案は気圧タイプボタンの構造に関し、特に押す音を消音にすることができ、防水機能を備え、快適なタッチ感を具有する気圧タイプのボタン構造に関する。
【背景技術】
【０００２】
テクノロジーが進歩するにつれ、電子、電気製品の関連産業も盛んに発展してきた。ますます多くの電子、電気関連製品が消費市場に溢れ、生活面でも仕事面でもこれらの製品に触れることができ、更に快適で迅速で便利な生活や仕事をすることができるようになった。特に最も普及し、最も使用されているのはデスクトップパソコンやノートパソコンであり、生活でも仕事でもベストパートナーである。このほかに携帯電話やＰＤＡ、翻訳機、コンピューター辞書に電話、トランシーバー、リモコン、カメラ、ビデオカメラなどの電子、電気、デジタル製品は我々の周りに溢れている。上列の各種製品はいずれも押すタイプのボタンを具有し、複数のボタンを使って製品の操作やコントロールを行う。従来技術では全てのボタンが硬質の材料で作られ、プラスティックの弾性サポート体により、ボタンを押したあとに自動的に元の位置に戻る。また、全てのボタン及び弾性サポート体は全て個々にキーボードの台座の中に設置し、隣り合う各ボタンとの間に一定の間隔を保つ。実施する際に、尚も下記の欠点などが存在する。
(１)硬質の材料で作られたボタンが弾性サポート体と共にキーボードの台座に設置すると、押す際にカッカッカという大きな騒音を発生し、周りの人の迷惑となる。
(２)硬質の材料で作られたボタンをユーザーが押すと、指先のタッチ感が悪く、長時間使用すると、指先が摩擦してやや痛みを感じる。
(３)複数のボタン及びサポート体をキーボードの台座にセットする際、隣り合うボタンの間に隙間ができ、防水効果がないため、液体を誤ってこぼしたとき、キーボード台座の内部に入り込むため、掃除しにくく、時間も手間もかかる。
よって、現在市販の様々なボタンやキーボードの素材が硬く、隙間が大きいために押す際に音が大きく、タッチ感が悪いとの問題のほか、複数のボタンを組み立てる際に隙間ができ、防水効果を持たないなど、全てにおいて改善する必要があった。
【先行技術文献】
【特許文献】
【０００３】
【特許文献１】特開２００６−２４４９２５号公報
【考案の概要】
【考案が解決しようとする課題】
【０００４】
前記公知構造の欠点を解決するため、本考案の第１の目的は、押す音を消音にすることができる気圧タイプのボタン構造を提供することにある。
本考案の第２の目的は、ボタンを押しても痛みが生じないタッチ感の良い気圧タイプのボタン構造を提供することにある。
本考案の第３の目的は、防水機能を具有する気圧タイプのボタン構造を提供することにある。
【課題を解決するための手段】
【０００５】
前記課題を解決するために、本考案は気圧タイプのボタン構造を提供するものである。該ボタン本体内部に気嚢室を設け、上方にプッシュ面、プッシュ面の反対側底部に電気接続できる導体を設け、下方に電気接続できる導板を設ける。該導板に予めプリント基板を分布させ、接触部を導体と対応して設置することで、ボタン本体に外力を加えて押した際に、内部の気嚢室がクッションとなり、押す音が消音になる。更に気嚢室底部の導体が導板の接触部と抵触し、抵触した後に電気が導電してシグナルを伝える。ボタン本体を導板に覆うことで、ボタンを押す際に、ぶつかりや摩擦の音がなくなる。
【０００６】
本考案の該ボタン本体内部の気嚢室に、適量の気体を充填することで、ボタン本体に快適な弾性力を具有する。外力を加えて押して変形しても、素早く元の状態に戻すことができ、気嚢室内部の気体により、良好な緩衝力を形成する。ユーザーは指でボタンを押すと、柔らかいタッチ感を感じるため、痛みが生じなくなる。
【０００７】
本考案のボタン本体に一つ或いは一つ以上のプッシュキーを具有するプッシュ層、及びパッケージ層で構成し、複数の隣り合うプッシュキーの間は互いにパッケージ層に連結する。プッシュ層とパッケージ層を導板および基板に設置することで、外部から液体が導板に入り込むのを避けることができ、良好な防水効果に達する。
【０００８】
本考案のボタン本体は、少なくとも一つ或いは一つ以上のプッシュキーを具有するプッシュ層、及びパッケージ層から構成する。複数のプッシュキーを用いて、デスクトップパソコンや、ノートパソコン、ＰＤＡや翻訳機、コンピューター辞書に電話、携帯電話、トランシーバーにリモコンなどの操作パネルにある文字数字盤のボタンを構成する。
【０００９】
本考案のボタン本体と導板を組み立てたあと基板に固定し、該基板は絶縁材質で作り、導板を外部から隔離する。また、蓋４を設けることができ、該蓋４のプッシュキー１３１に相対する位置に、枠４０を設置し、プッシュキー１３１を蓋４の表面に突出させて、押しやすくする。
【考案の効果】
【００１０】
本考案はボタン本体の内部に気嚢室を形成し、適量な気体を充填するボタン本体に外力を加えて押す際、内部の気嚢室により押す音を消音し、気嚢室の底部にある導体が導板の接触部と電気接続し、タッチしたあとに伝導し、シグナルを伝える。ボタン本体のプッシュ層にプッシュキーを設置し、更にパッケージ層と組み合わせることで、隣り合うプッシュキーの間に隙間が生じず、防水作用を具有する。
【図面の簡単な説明】
【００１１】
【図１】本考案の立体外観図である。
【図２】本考案の立体分解図である。
【図３】本考案の側視断面図である。
【図４】本考案を押す際の側視断面図である。
【図５】本考案の最良実施例の立体分解図である。
【図６】本考案の最良実施例の側視断面図である。
【図７】本考案の別の実施例の立体分解図である。
【考案を実施するための形態】
【００１２】
本考案による気圧タイプのボタン構造を明確に示すために図に沿って詳細な説明を行う。
【００１３】
図１、図２、図３及び図４に示すのは、本考案の立体外観図、立体分解図、断面図、押す際の断面図である。本考案のボタンはボタン本体１、電気接続できる導板２から構成する。
【００１４】
ボタン本体１の内部に気嚢室１０を具有し、該気嚢室１０内に適量の気体を充填する。該気嚢室１０の上方のボタン本体１の表面に、プッシュする面１１を形成し、反対側底部に導電できる導体１２を設ける。
【００１５】
該導板２に予め薄膜状のプリント基板を分布し、頂部の表面に電気接続できる接触部２１を設ける。
【００１６】
前記各部品を組み立てる際、ボタン本体１の底部にある導体１２を導板２の接触部２１上方に位置させ、適切な距離を保ち、本考案のボタンを構成する。
【００１７】
前記ボタン本体１のプッシュ面１１に外力を加えて押すと、内部気嚢室１０が押しつぶされるために、気嚢室１０が外部に伸展して変形する。気嚢室１０底部にある導体１２が導板２の接触部２１と抵触するため、接触部２１が導板２に設置したプリント基板を通じて関連情報の伝達を行い、ボタン本体１を押した情報は導板２を通じて外部に伝える。
【００１８】
ボタン本体１内部の気嚢室１０に適量な気体を充填し、ゴムやシリコンなどの弾性のある絶縁材質で作られるため、ボタン本体１は良い触感を具有する。更に内部の気嚢室１０の気体によるクッション性と弾力性のある反動により、ボタン本体１は快適なタッチ感を具有するため、ユーザーが指で押しても跳ね返ってくる力を感じず、摩擦により痛みを感じることもない。ボタン本体１下方に位置する導板２は薄膜状を呈し、薄型プリント基板、薄型配線、軟性プリント基板、軟性配線、金属薄板、ポリエチレンテレフタラートなどのプレート状導体とすることができ、外部の機体と電気接続して、プッシュされた、タッチされたシグナルの伝達を行なうことで、外部の機体を操作、コントロールする目的に達する。
【００１９】
導板２の頂部表面に設ける接触部２１は、圧電部品、金属導電体、金属接点など、電気シグナルを伝達できる様々な導電体とする。
【００２０】
図４、図５、図６及び図７に示すのは、本考案を押す際の側視断面図、最良実施例の立体分解図、側視断面図、別の最良実施例の立体外観図である。本考案のボタン本体１はプッシュ層１３及びパッケージ層１４を含み、該プッシュ層１３は少なくとも一つ或いは一つ以上のプッシュキー１３１を具有し、該プッシュキー１３１の内部に中空状の気嚢室１０を具有し、更に該プッシュ層１３とパッケージ層１４を予め加工してから組み立て結合する。プッシュ層１３をパッケージ層１４の上に一体成型に設置し、パッケージ層１４の底面に少なくとも一つ或いは一つ以上の導体１２を設ける。或いは予め高周波熱溶解、リフロー炉での高温加熱、粘着剤による接合などの加工方法を用いて、プッシュ層１３、パッケージ層１４を互いに密閉し、結合する。更にプッシュ層１３、パッケージ層１４をともに導板２の上方に設置し、パッケージ層１４の底面に導体１２を設け、導体１２と対応して少なくとも一つ或いは一つ以上の接触部２１を設ける。ボタン本体１のプッシュ層１３、パッケージ層１４と導板２をともに基板３に設置し、本考案のボタンを構成する。
【００２１】
前記ボタン本体１のプッシュ層１３に少なくとも一つのプッシュキー１３１を設け、プッシュ層１３とプッシュキー１３１をパッケージ層１４の上に一体成型に設置し、プッシュ層１３とパッケージ層１４をしっかりと結合する。
【００２２】
本考案のボタン本体のプッシュ層１３のプッシュキー１３１はパッケージ層１４の上に成型し、隣り合う各プッシュキー１３１との間に、隙間が生じないために、ボタン本体１は防水効果を具有する。ボタン本体１と導板２、基板３を互いに組み立てる際に、外部の液体或いは水分がボタン本体１内部に入るのを防止し、導板２を汚染或いは損壊、故障などから守る。
【００２３】
ボタン本体１、導板２はともに基板３に固定することができる。導板２はボタン本体１と基板３の間に位置し、外部と隔離する。基板３はプレート状を呈し、絶縁材質で作られ、ボタン本体１は基板３の上方に露出する。
【産業上の利用可能性】
【００２４】
本考案のボタン本体１はプッシュ層１３に複数のプッシュキー１３１を設けることができ、複数のプッシュキー１３１を用いて、デスクトップパソコンや、ノートパソコン、ＰＤＡや翻訳機、コンピューター辞書に電話、携帯電話、トランシーバーにリモコンなどの操作パネルにある文字数字盤のボタンを構成する。ボタン本体１のプッシュ層１３の複数あるプッシュキー１３１の外部に、蓋４を設けることができる。(蓋４を設けずに、ユーザーは直接プッシュキー１３１を押すこともできる)。蓋４のプッシュキー１３１に相対する位置に、複数の枠４０を設置し、プッシュキー１３１を蓋４の表面に突出させて、押しやすくする。ボタン本体１のプッシュキー１３１の外観は、正方形、矩形、長方形、菱形、多辺形或いは円形など、様々な形状にすることができ、ボタン本体１を設置する電子や電気、デジタル製品などの機械に合わせて、プッシュキー１３１の形状を変化、調整、デザインすることができる。
【００２５】
以上の実施例による本考案の詳細な説明は本考案の範囲を制限するものではない。本考案のボタン本体１内部に気嚢室１０を具有し、適量の気体を充填することができる。気嚢室１０の上方にプッシュ面１１を形成し、底部に導体１２を具有する。ボタン本体１の下方にそれぞれ導板２、基板３を設置し、導体１２と対応して、導板２に接触部２１を設ける。ボタン本体１のプッシュ面１１に外力を加えて押す際、気嚢室１０がクッションの役割をするため、弾性のあるタッチ感を具有し、押す音を消音する目的に達する。また、ボタン本体１は少なくとも一つ或いは一つ以上のプッシュキー１３１を具有するプッシュ層１３をパッケージ層１４の上に組み立て、各プッシュキー１３の間に隙間を作らないため、防水効果がある。本考案の構想に基づく各種の変化や修正、応用及び形を変更するなど、同じ効果が生まれる場合は、全て本考案の権利範囲とする。
【００２６】
本考案の気圧タイプボタンのメリットは下記の３点である。
(一)、ボタン本体１内の気嚢室１０に適量な気体を充填し、クッションの役割を形成するため、外力を加えてボタン本体１を押す際、気嚢室１０の緩衝作用により、消音効果があり、ボタンを押す音で周りに迷惑をかけない。
(二)、ボタン本体１内に設ける気嚢室１０は、気体を充填しているため、弾性のある緩衝力を具有し、ユーザーが力を加えてボタン本体１のプッシュ面１１を押しても、快適なタッチ感であるため、指が反動力を受ける或いは摩擦するために痛みを感じることがない。
(三)、ボタン本体１はプッシュ層１３及びパッケージ層１４で構成し、プッシュ層１３に少なくとも一つのプッシュキー１３１を設ける。隣り合うプッシュキー１３１の間に隙間や間隔が生じず、防水効果があり、外部からの液体や水分が染み入るのを避けることができる。
【００２７】
本考案の気圧ボタンの構造は、ボタン本体の内部に気嚢室を具有し、適量の気体を充填してから導板、基板の上方に設置する。ボタン本体に外力を加えて押すと、ボタン本体内部の気嚢室が形成する弾性のある緩衝作用により、快適なタッチ感と消音効果に達する。ボタン本体のプッシュ層に少なくとも一つ或いは一つ以上のプッシュキーを設置し、更にパッケージ層と組み合わせることで、隣り合うプッシュキーとの間に隙間が生じず、防水作用を具有する。ボタン本体を押す音を消音にすることができ、弾性のある快適なタッチ感、防水効果など多くの実用的な機能を備える。以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２８】
１、 ボタン本体
１０、気嚢室
１１、プッシュ面
１２、導体
１３、プッシュ層
１３１、プッシュキー
１４、パッケージ層
２、導板
２１、接触部
３、基板
４、蓋、
４０、枠
【図１】
0003163700.tif 000003
【図２】
0003163700.tif 000004
【図３】
0003163700.tif 000005
【図４】
0003163700.tif 000006
【図５】
0003163700.tif 000007
【図６】
0003163700.tif 000008
【図７】
0003163700.tif 000009